(57)【要約】      （修正有）【課題】電気コネクタを介してケーブルと回路基板間で信号が伝送される過程で、ターミナルの分岐構造により発生する信号の反射を防止できる電気コネクタを提供する。【解決手段】電気コネクタ１００は、ターミナル装着部及びケーブル載置面１１２を備えるハウジング１１０と、ターミナル装着部に装着され、ケーブル載置面１１２から露出する接続部を備えるターミナル１２０と、接続部を覆うようにハウジング１１０に装着され、ケーブル載置面１１２との間で収容部１１３を形成するメタルシェル１３０と、遊動ヒンジ部１４２及び挿入部１４３を備えるアクチュエータ１４０とを含み、アクチュエータ１４０は、挿入部１４３がメタルシェル１３０上に位置する第１位置と挿入部１４３が収容部１１３の前方に位置する第２位置間で回転可能であり、第２位置と挿入部１４３が収容部１１３に挿入される第３位置間で摺動可能である。【選択図】図１
0003231916.tif 000002
【実用新案登録請求の範囲】
【請求項１】
ターミナル装着部及びケーブル載置面を備えるハウジングと、
前記ターミナル装着部に装着され、前記ケーブル載置面から露出する接続部を備えるシングルアーム型のターミナルと、
前記接続部を覆うように前記ハウジングに装着され、前記ケーブル載置面との間で収容部を形成するメタルシェルと、
前記ハウジングに回転及び摺動可能に設置される遊動ヒンジ部、及び、前記収容部に挿脱可能に形成される挿入部を備えるアクチュエータと、
を含み、
前記メタルシェルは、前記ケーブル載置面を覆うように配置される本体部と、前記本体部の両側からそれぞれ延び、前記ハウジングに設置される第１固定部と、前記本体部の後端から突出し、前記ハウジングの後壁に形成される孔に挿入される第２固定部と、を含み、
前記アクチュエータは、前記挿入部が前記メタルシェル上に位置する第１位置と前記挿入部が前記収容部の前方に位置する第２位置間で回転可能であり、前記第２位置と前記挿入部が前記収容部に挿入される第３位置間で摺動可能であり、前記摺動中に、前記挿入部が前記本体部の下面に対向する状態で相対移動することを特徴とする、電気コネクタ。
【請求項２】
前記第１位置で、前記メタルシェルは、前記アクチュエータを支持することを特徴とする請求項１に記載の電気コネクタ。
【請求項３】
前記第１位置で、前記アクチュエータは、後方に傾斜して配置され、前記ハウジングの厚さ方向に前記メタルシェルの前端部を覆わないように配置されることを特徴とする請求項１又は２に記載の電気コネクタ。
【請求項４】
ケーブルが前記ケーブル載置面に載置された前記第３位置で、前記挿入部が前記ケーブルを前記接続部に向かって加圧するように、前記メタルシェルは、前記挿入部の上側を覆って支持することを特徴とする請求項１〜３のいずれかに記載の電気コネクタ。
【請求項５】
前記収容部の両側には、前記遊動ヒンジ部が挿入されて回転及び摺動するように形成されるスロット部が備えられることを特徴とする請求項１〜４のいずれかに記載の電気コネクタ。
【請求項６】
前記ハウジングには、前記スロット部に連通し、前記遊動ヒンジ部の摺動状態を上方から確認できるように前記遊動ヒンジ部の一部を上方に露出させる開口部が形成されることを特徴とする請求項５に記載の電気コネクタ。
【請求項７】
前記遊動ヒンジ部は、前記スロット部に挿入されるヒンジ軸部と、前記ヒンジ軸部の両側に平行に配置され、前記アクチュエータのベース部に連結される第１連結部及び第２連結部と、を含み、
前記第１及び第２連結部のいずれか一方は、前記開口部から前記ハウジングの上方に露出することを特徴とする請求項６に記載の電気コネクタ。
【請求項８】
前記ハウジングには、前記スロット部に連通し、前記第１及び第２連結部の他方が回転する空間を形成する切欠部が形成され、
前記切欠部には、前記アクチュエータが前記第１位置に位置する状態で、前記第１及び第２連結部の他方を傾斜した状態で支持する傾斜面が形成されることを特徴とする請求項７に記載の電気コネクタ。
【請求項９】
前記第１固定部は、前記収容部と前記開口部間に形成される孔に挿入される第１部分と、前記第１部分から折曲延設されて回路基板に実装される第２部分と、を含むことを特徴とする請求項６〜８のいずれかに記載の電気コネクタ。
【請求項１０】
ターミナル装着部及びケーブル載置面を備えるハウジングと、
前記ターミナル装着部に装着され、前記ケーブル載置面から露出する接続部を備えるターミナルと、
前記接続部を覆うように前記ハウジングに装着され、前記ケーブル載置面との間で収容部を形成するメタルシェルと、
前記ハウジングに回転及び摺動可能に設置される遊動ヒンジ部、及び、前記収容部に挿脱可能に形成される挿入部を備えるアクチュエータと、
を含み、
前記アクチュエータは、前記挿入部が前記メタルシェル上に位置する第１位置と前記挿入部が前記収容部の前方に位置する第２位置間で回転可能であり、前記第２位置と前記挿入部が前記収容部に挿入される第３位置間で摺動可能であることを特徴とする、電気コネクタ。
【請求項１１】
ターミナル装着部及びケーブル載置面を備えるハウジングと、
前記ターミナル装着部に装着され、前記ケーブル載置面から露出する接続部を備えるシングルアーム型のターミナルと、
前記接続部を覆うように前記ハウジングに装着され、前記ケーブル載置面との間で収容部を形成するメタルシェルと、
前記ハウジングに設置されるアクチュエータと、
を含み、
前記メタルシェルは、前記ケーブル載置面を覆うように配置される本体部と、前記本体部の両側からそれぞれ延び、前記ハウジングに設置される第１固定部と、前記本体部の後端から突出し、前記ハウジングの後壁に形成される孔に挿入される第２固定部と、を含み、
前記アクチュエータは、ベース部と、前記ベース部の両側から突設され、前記ハウジングに回転及び摺動可能に設置される遊動ヒンジ部と、前記ベース部の両側に形成される前記遊動ヒンジ部間の前記ベース部から突設され、前記摺動時に前記収容部に挿入されるか又は前記収容部から取り出される挿入部と、を含み、前記摺動中に、前記挿入部が前記本体部の下面に対向する状態で相対移動することを特徴とする、電気コネクタ。
【請求項１２】
前記収容部の両側には、前記遊動ヒンジ部が挿入されて回転及び摺動するように形成されるスロット部が備えられることを特徴とする請求項１１に記載の電気コネクタ。
【請求項１３】
前記ハウジングには、前記スロット部に連通し、前記遊動ヒンジ部の摺動状態を上方から確認できるように前記遊動ヒンジ部の一部を上方に露出させる開口部が形成されることを特徴とする請求項１２に記載の電気コネクタ。
【請求項１４】
前記スロット部は、
前記遊動ヒンジ部が挿入されて回転及び摺動する遊動空間を形成するように、前記ハウジングの後部の上面及び下面から前方に向かって互いに対向するように延びる第１延長部及び第２延長部と、
前記第１及び第２延長部の少なくとも一方の前部から突設され、前記遊動空間を限定する係止突起と、
を含むことを特徴とする請求項１２又は１３に記載の電気コネクタ。
【請求項１５】
前記遊動ヒンジ部は、
前記遊動空間内に配置されるヒンジ軸部と、
前記ヒンジ軸部の両側に平行に配置され、前記ベース部に連結される第１連結部及び第２連結部と、
を含むことを特徴とする請求項１４に記載の電気コネクタ。
【請求項１６】
前記遊動ヒンジ部は、前記第１及び第２連結部の少なくとも一方から突設され、前記遊動ヒンジ部の摺動時に前記係止突起に係止されるように形成されるロック突起をさらに含むことを特徴とする請求項１５に記載の電気コネクタ。
【請求項１７】
前記アクチュエータは、前記挿入部が前記メタルシェル上に位置する第１位置と前記挿入部が前記収容部の前方に位置する第２位置間で回転可能であり、前記第２位置と前記挿入部が前記収容部に挿入される第３位置間で摺動可能であることを特徴とする請求項１６に記載の電気コネクタ。
【請求項１８】
前記第２位置で、前記ロック突起は、前記係止突起の前方に位置し、
前記第３位置で、前記ロック突起は、前記係止突起の後方に位置することを特徴とする請求項１７に記載の電気コネクタ。
【請求項１９】
前記挿入部は、前記挿入部の両側から突設されて前記ケーブルの両側に形成される凹部に挿入されるように形成されるケーブル挿入ガイドを備え、
前記ケーブル挿入ガイドは、前記アクチュエータの摺動時に、前記凹部に対して相対移動するか、又は前記凹部に係止されて前記ケーブルをプッシュすることを特徴とする請求項１１〜１８のいずれかに記載の電気コネクタ。
【請求項２０】
前記ケーブル挿入ガイドは、前記挿入部の底部から突設され、
前記ケーブル載置面には、前記ケーブル挿入ガイドが挿入されるケーブル挿入凹部が形成されることを特徴とする請求項１９に記載の電気コネクタ。
【考案の詳細な説明】
【技術分野】
【０００１】
本考案は、ケーブルと回路基板を電気的に接続して電気回路を構成する電気コネクタに関する。
【背景技術】
【０００２】
電子機器には、複数の電子素子が備えられ、互いに離隔して配置された電子素子を電気的に接続するために、軟質のフレキシブルフラットケーブル（Flexible Flat Cable: FFC）やフレキシブルプリント回路（Flexible Printed Circuit: FPC）などが広く用いられている。前記フレキシブルフラットケーブル及び前記フレキシブルプリント回路（以下、「ケーブル」と通称する）は、その端部に複数の端子が幅方向に並んで配列された構造を有する。このようなケーブルは、回路基板に実装されたコネクタに挿脱可能に接続され、前記コネクタを介して前記回路基板に電気的に接続される。
【０００３】
図１３は、従来技術による電気コネクタ１０の一例であり、ターミナル１２における信号の反射現象を説明するための概念図であり、図１４は、図１３に示す電気コネクタ１０におけるインピーダンスを示すグラフである。
【０００４】
図１３に示すように、電気コネクタ１０は、回路基板２に実装され、挿入されたケーブル１に接続されてケーブル１と回路基板２を電気的に接続する。このような電気コネクタ１０は、ハウジング１１と、ハウジング１１の長手方向に配列されるターミナル１２と、ハウジング１１に回転可能に設置されてケーブル１をターミナル１２に接続された状態で固定するか又はその固定を解除するように構成されるアクチュエータ１３と、ハウジング１１を回路基板２上に固定するフィッティングネイル１４とを含む。
【０００５】
ターミナル１２は、後端には回路基板２に実装される半田付け部１２ａを備え、半田付け部１２ａの前方にはケーブル１の端子部に接触する下部アーム１２ｂとアクチュエータ１３の回転軸１３ａの一部を囲む上部アーム１２ｃとに分岐した分岐構造を有する。なお、アクチュエータ１３の支持及び回転ガイドのために、一部のターミナルの上部アームは回転軸１３ａの一部を囲むように構成され、他のターミナルの上部アームは回転軸１３ａの他の一部を囲むように構成される。
【０００６】
しかし、ターミナル１２においては、前記分岐構造により信号の反射現象（又は信号の渦流現象）が発生するという問題があった。具体的には、ターミナル１２を介して回路基板２からケーブル１に信号が伝送される場合、半田付け部１２ａを介してターミナル１２に流入した信号の一部は、下部アーム１２ｂを介して直ちにケーブル１に伝送されるのではなく、上部アーム１２ｃを経由しながら信号の反射を起こす。
【０００７】
図１４に示すように、電気コネクタ１０におけるインピーダンスは、前述した信号の反射現象により急激に低下する。このような分岐構造による信号の反射現象は信号の高速伝送を妨げるので、分岐構造のターミナル１２を備える電気コネクタ１０は高速伝送用に適していないという問題があった。
【０００８】
上記問題を解決するために、ターミナル１２が上部アーム１２ｃを備えないように設計を変更した場合は、アクチュエータ１３の支持及び回転動作が円滑に行われないという問題が生じる。よって、信号の反射現象を低減しながらも、アクチュエータ１３の支持及び回転動作を円滑に行うことのできる電気コネクタ１０に関する研究が行われている。
【０００９】
一方、ケーブル１とターミナル１２の接続を安定させるためには、アクチュエータ１３がケーブル１をできるだけ均一に加圧するようにしなければならない。従来技術においては、一部のターミナル１２の上部アーム１２ｃがアクチュエータ１３の上側を支持するように構成され、アクチュエータ１３が部分的に下方に加圧されるようになっていた。よって、前述した信号の反射現象を防止するために上部アーム１２ｃを備えないターミナル１２を適用した場合、アクチュエータ１３がケーブル１を均一に加圧することができず、ケーブル１とターミナル１２の接続が安定して行われなくなる。
【００１０】
また、組立者は通常電気コネクタ１０を見下ろしてケーブル１の挿入作業を行うが、アクチュエータ１３は開いた状態でケーブル１の挿入位置を隠すことがあった。さらに、電気コネクタ１０の上側では、アクチュエータ１３が完全に閉じた状態に切り替えられたか否かを肉眼で容易に把握することが困難であった。よって、それらを確認するためには、組立者が電気コネクタ１０を斜め方向又は横方向から見なければならないという不便があった。
【００１１】
一方、組立者の組立ミスなどにより、ケーブル１が電気コネクタ１０に不完全に挿入されることがある。この場合、ケーブル１の端子部とターミナル１２の接続部が定位置で接触しないという問題が生じる。よって、そのようなケーブル１の不完全な挿入をアクチュエータ１３の動作により補正する技術に関する研究が行われている。
【００１２】
本考案の背景技術は、特許文献１（２０１３年９月５日公開）に開示されている。
【先行技術文献】
【特許文献】
【００１３】
【特許文献１】特開２０１３−１７５３９５号公報
【考案の概要】
【考案が解決しようとする課題】
【００１４】
本考案の第１の目的は、電気コネクタを介してケーブルと回路基板間で信号が伝送される過程で、ターミナルの分岐構造により発生する信号の反射を防止できる電気コネクタを提供することにある。
【００１５】
本考案の第２の目的は、上記第１の目的を達成するために電気コネクタがアクチュエータの支持及び回転のための新たな構造を備えても、ケーブルが接続部に強固に接続された状態を維持できる構造を提供することにある。
【００１６】
本考案の第３の目的は、組立者が特定の位置で、ケーブルが収容部の定位置に挿入されるか否かや、アクチュエータが完全に閉じたか否かを肉眼で容易に確認できる構造を提供することにある。
【００１７】
本考案の第４の目的は、ケーブルが収容部に不完全に挿入されても、ケーブルとターミナルの接続が安定して行われるようにする技術を提供することにある。
【課題を解決するための手段】
【００１８】
本考案の第１の目的を達成するために、本考案は、ターミナル装着部及びケーブル載置面を備えるハウジングと、前記ターミナル装着部に装着され、前記ケーブル載置面から露出する接続部を備えるターミナルと、前記接続部を覆うように前記ハウジングに装着され、前記ケーブル載置面との間で収容部を形成するメタルシェルと、前記ハウジングに回転及び摺動可能に設置される遊動ヒンジ部、並びに前記収容部に挿脱可能に形成される挿入部を備えるアクチュエータとを含み、前記アクチュエータは、前記挿入部が前記メタルシェル上に位置する第１位置と前記挿入部が前記収容部の前方に位置する第２位置間で回転可能であり、前記第２位置と前記挿入部が前記収容部に挿入される第３位置間で摺動可能である、電気コネクタを開示する。
【００１９】
前記第１位置で、前記メタルシェルは、前記アクチュエータを支持するようにしてもよい。
【００２０】
前記収容部の両側には、前記遊動ヒンジ部が挿入されて回転及び摺動するように形成されるスロット部が備えられてもよい。
【００２１】
前記ハウジングには、前記スロット部に連通し、前記遊動ヒンジ部の摺動状態を上方から確認できるように前記遊動ヒンジ部の一部を上方に露出させる開口部が形成されてもよい。
【００２２】
前記遊動ヒンジ部は、前記スロット部に挿入されるヒンジ軸部と、前記ヒンジ軸部の両側に平行に配置され、前記アクチュエータのベース部に連結される第１連結部及び第２連結部とを含んでもよく、また、前記第１及び第２連結部のいずれか一方は、前記開口部から前記ハウジングの上方に露出するようにしてもよい。
【００２３】
前記ハウジングには、前記スロット部に連通し、前記第１及び第２連結部の他方が回転する空間を形成する切欠部が形成されてもよく、また、前記切欠部には、前記アクチュエータが前記第１位置に位置する状態で、前記第１及び第２連結部の他方を傾斜した状態で支持する傾斜面が形成されてもよい。
【００２４】
前記メタルシェルは、前記ケーブル載置面を覆うように配置される本体部と、前記本体部の両側からそれぞれ延び、前記ハウジングに設置される第１固定部と、前記本体部の後端から突出し、前記ハウジングの後壁に形成される孔に挿入される第２固定部とを含んでもよい。
【００２５】
前記第１固定部は、前記収容部と前記開口部間に形成される孔に挿入される第１部分と、前記第１部分から折曲延設されて回路基板に実装される第２部分とを含んでもよい。
【００２６】
本考案の第２の目的を達成するために、ケーブルが前記ケーブル載置面に載置された前記第３位置で、前記挿入部が前記ケーブルを前記接続部に向かって加圧するように、前記メタルシェルは、前記挿入部の上側を覆って支持するようにしてもよい。
【００２７】
本考案の第３の目的を達成するために、前記第１位置で、前記アクチュエータは、後方に傾斜して配置され、前記ハウジングの厚さ方向に前記メタルシェルの前端部を覆わないように配置されてもよい。
【００２８】
そして、本考案は、ターミナル装着部及びケーブル載置面を備えるハウジングと、前記ターミナル装着部に装着され、前記ケーブル載置面から露出する接続部を備えるターミナルと、前記接続部を覆うように前記ハウジングに装着され、前記ケーブル載置面との間で収容部を形成するメタルシェルと、前記ハウジングに設置されるアクチュエータとを含み、前記アクチュエータは、ベース部と、前記ベース部の両側から突設され、前記ハウジングに回転及び摺動可能に設置される遊動ヒンジ部と、前記ベース部の両側に形成される前記遊動ヒンジ部間の前記ベース部から突設され、前記摺動時に前記収容部に挿入されるか又は前記収容部から取り出される挿入部とを含む、電気コネクタを開示する。
【００２９】
前記スロット部は、前記遊動ヒンジ部が挿入されて回転及び摺動する遊動空間を形成するように、前記ハウジングの後部の上面及び下面から前方に向かって互いに対向するように延びる第１延長部及び第２延長部と、前記第１及び第２延長部の少なくとも一方の前部から突設され、前記遊動空間を限定する係止突起とを含んでもよい。
【００３０】
前記遊動ヒンジ部は、前記遊動空間内に配置されるヒンジ軸部と、前記ヒンジ軸部の両側に平行に配置され、前記ベース部に連結される第１連結部及び第２連結部とを含んでもよい。
【００３１】
前記遊動ヒンジ部は、前記第１及び第２連結部の少なくとも一方から突設され、前記遊動ヒンジ部の摺動時に前記係止突起に係止されるように形成されるロック突起をさらに含んでもよい。
【００３２】
前記第２位置で、前記ロック突起は、前記係止突起の前方に位置し、前記第３位置で、前記ロック突起は、前記係止突起の後方に位置するようにしてもよい。
【００３３】
本考案の第４の目的を達成するために、前記挿入部は、前記挿入部の両側から突設されて前記ケーブルの両側に形成される凹部に挿入されるように形成されるケーブル挿入ガイドを備え、前記ケーブル挿入ガイドは、前記アクチュエータの摺動時に、前記凹部に対して相対移動するか、又は前記凹部に係止されて前記ケーブルをプッシュするようにしてもよい。
【００３４】
前記ケーブル挿入ガイドは、前記挿入部の底部から突設され、前記ケーブル載置面には、前記ケーブル挿入ガイドが挿入されるケーブル挿入凹部が形成されてもよい。
【考案の効果】
【００３５】
上記解決手段により得られる本考案の効果は次の通りである。
【００３６】
第一に、本考案においては、アクチュエータが収容部の両側に備えられるスロット部に回転及び摺動可能に設置される。よって、従来のターミナルにおいてアクチュエータを回転可能に支持していた部分が除去され、ターミナルを信号の伝達のための部分のみが備えられる単一のアームで構成することができる。その結果、電気コネクタにおいて、信号が反射する現象と、それによるインピーダンスの低下を防止することができる。このような本考案の電気コネクタは、高速伝送用としても無理なく使用することができる。
【００３７】
第二に、アクチュエータが第３位置に位置する状態で、メタルシェルが収容部に挿入された挿入部の上側を覆って支持するように構成される。よって、挿入部がケーブルを接続部に向かって加圧し、ケーブルが接続部に強固に接続された状態を維持することができる。
【００３８】
第三に、第１位置のアクチュエータは、メタルシェルの前部側が上方から見えるように、後方に反った状態で配置されるので、組立者は、電気コネクタの上方から、ケーブルが収容部の定位置に挿入されたか否かを容易に確認することができる。また、遊動ヒンジ部の一部が開口部から露出するので、組立者は、電気コネクタの上方から、アクチュエータが第２位置から第３位置に完全に移動したか否かを容易に確認することができる。
【００３９】
第四に、ケーブルが収容部に不完全に挿入されても、アクチュエータが摺動する際に、ケーブルの両側の凹部に挿入されたケーブル挿入ガイドによりケーブルが収容部へ引き込まれるようになる。よって、ケーブルが収容部の定位置に移動し、ケーブルとターミナルの接続が安定して行われる。
【図面の簡単な説明】
【００４０】
【図１】本考案の一実施形態による電気コネクタを示す斜視図である。
【図２】図１に示す電気コネクタの構成を分解して一方向から見た図である。
【図３】図１に示す電気コネクタの構成を分解して他の方向から見た図である。
【図４】図１に示すアクチュエータが開状態と閉状態間での状態遷移のために回転及び摺動する過程を示す概念図である。
【図５】図４に示すアクチュエータの回転及び摺動過程を示す斜視図である。
【図６】図４に示すアクチュエータの回転及び摺動過程を示す平面図である。
【図７】図６に示すアクチュエータの回転及び摺動過程を示す、図６のＡ−Ａ’線断面図である。
【図８】図４に示すアクチュエータの回転及び摺動過程を示す側面図である。
【図９】図５の（ｂ）に示すＢ部分の拡大図である。
【図１０】図９に示すアクチュエータの摺動過程を示す、図９のＣ−Ｃ’線断面図である。
【図１１】図６の（ｂ）に示すＤ部分の底部においてアクチュエータの摺動過程を示す概念図である。
【図１２】図１１に示すアクチュエータの摺動過程を示す、図１１のＥ−Ｅ’線断面図である。
【図１３】従来技術による電気コネクタの一例であり、ターミナルにおける信号の反射現象を説明するための概念図である。
【図１４】図１３に示す電気コネクタにおけるインピーダンスを示すグラフである。
【考案を実施するための形態】
【００４１】
以下、添付図面を参照して、本考案による電気コネクタについてより詳細に説明する。
【００４２】
本考案の実施形態について説明するにあたり、関連する公知技術についての具体的な説明が本考案の実施形態の要旨を不明にすると判断される場合は、その詳細な説明を省略する。
【００４３】
また、添付図面は本考案の実施形態の理解を助けるためのものにすぎず、添付図面により本考案の技術的思想が限定されるものではなく、本考案の思想及び技術範囲に含まれるあらゆる変更、均等物乃至代替物を含むものと理解すべきである。
【００４４】
以下の説明において、単数の表現には、特に断らない限り複数の表現が含まれる。
【００４５】
本明細書において、「含む」や「有する」などの用語は、本明細書に記載された特徴、数字、段階、動作、構成要素、部品又はそれらの組み合わせが存在することを指定しようとするもので、１つ又はそれ以上の他の特徴、数字、段階、動作、構成要素、部品又はそれらの組み合わせの存在や付加可能性を予め排除するものではないと理解すべきである。
【００４６】
図１は、本考案の一実施形態による電気コネクタ１００を示す斜視図である。
【００４７】
図１を参照すると、電気コネクタ１００は、回路基板２とケーブル１を電気的に接続して電気回路を構成する。具体的には、電気コネクタ１００は、回路基板２に実装され、アクチュエータ１４０が開いた状態で電気コネクタ１００にケーブル１の端部が挿入され、その後アクチュエータ１４０が閉じるとケーブル１の端部に形成された端子部１ａとターミナル１２０の接続部１２２ａの電気的接続が行われるように構成される。
【００４８】
なお、電気コネクタ１００が実装される回路基板２には、リジッドな材質の回路基板２だけでなく、フレキシブルな材質のフレキシブル回路基板が含まれる。つまり、本実施形態においては、電気コネクタ１００がリジッドな回路基板２に実装された場合を例に挙げて説明しているが、本考案は、これに限定されるものではない。電気コネクタ１００は、フレキシブル回路基板に実装され、当該フレキシブル回路基板とケーブル１を電気的に接続するように構成してもよい。
【００４９】
図２及び図３は、図１に示す電気コネクタ１００の構成を分解して異なる方向から見た図であり、図４は、図１に示すアクチュエータ１４０が開状態と閉状態間での状態遷移のために回転及び摺動する過程を示す概念図である。
【００５０】
図１〜図４に示すように、電気コネクタ１００は、ハウジング１１０、ターミナル１２０、メタルシェル１３０及びアクチュエータ１４０を含む。ここで、ターミナル１２０は複数備えられる。
【００５１】
ハウジング１１０は、電気コネクタ１００の筐体を形成する。ハウジング１１０は、一方向に長く配置される。ハウジング１１０は、複数のターミナル１２０のそれぞれの電気的絶縁のために、非導電性の合成樹脂材質からなる。
【００５２】
ハウジング１１０には、ターミナル装着部１１１及びケーブル載置面１１２が備えられる。
【００５３】
ターミナル装着部１１１は、ハウジング１１０の背面部から前方に向かって延設され、ターミナル１２０が装着される空間を形成する。ターミナル装着部１１１は、複数のターミナル１２０がそれぞれ装着されるように複数備えられ、そのような複数のターミナル装着部１１１は、ハウジング１１０の延長方向に沿って所定間隔離隔して配置される。
【００５４】
ケーブル載置面１１２は、ケーブル１の端部が載置される面である。ケーブル載置面１１２は、ハウジング１１０の延長方向に沿って長く延設される。
【００５５】
ケーブル載置面１１２内には、ハウジング１１０の前方に延びたターミナル装着部１１１の一部が位置する。ターミナル装着部１１１の一部は、ケーブル載置面１１２から凹んだ形状を有する。
【００５６】
ターミナル装着部１１１に装着されたターミナル１２０の接続部１２２ａは、ケーブル載置面１１２から露出する。接続部１２２ａは、ケーブル１の端部に形成された端子部１ａに接続される部分であり、ケーブル載置面１１２より突出するように配置される。
【００５７】
ターミナル１２０は、導電性の金属材質からなり、ターミナル装着部１１１に装着される。ターミナル１２０は、半田付け部１２１及び延長部１２２を備える。
【００５８】
半田付け部１２１は、ハウジング１１０の背面部の後方に配置され、回路基板２に半田付けされる。
【００５９】
延長部１２２は、半田付け部１２１から延び、ターミナル装着部１１１に挿入される。延長部１２２は、分岐するのではなく、シングルアーム型に延びる。延長部１２２は、ターミナル装着部１１１に挿入されてハウジング１１０の前方に延びるように配置される。
【００６０】
延長部１２２は、ケーブル載置面１１２上から突出する接続部１２２ａを備える。接続部１２２ａは、ケーブル１の端部に形成された端子部１ａとの接続のために、曲げられて形成されるようにしてもよい。
【００６１】
メタルシェル１３０は、接続部１２２ａを覆うようにハウジング１１０に装着され、ケーブル載置面１１２との間で収容部１１３を形成する。メタルシェル１３０は、金属材質、例えばステンレス鋼材質（ＳＴＳ、ＳＵＳ）からなるようにしてもよい。
【００６２】
メタルシェル１３０は、本体部１３１及び固定部分１３２、１３３を含む。
【００６３】
本体部１３１は、一方向に延び、ケーブル載置面１１２を覆うように配置される。本体部１３１とケーブル載置面１１２との間の空間は、後述するアクチュエータ１４０の挿入部１４３とケーブル１が挿入される収容部１１３を形成する。
【００６４】
固定部分１３２、１３３は、本体部１３１から延設又は突設され、ハウジング１１０に装着されてメタルシェル１３０をハウジング１１０に固定する。
【００６５】
固定部分１３２、１３３は、第１固定部１３２を含む。
【００６６】
第１固定部１３２は、本体部１３１の両側にそれぞれ備えられる。第１固定部１３２は、ハウジング１１０に装着される第１部分１３２ａと、回路基板２に実装される第２部分１３２ｂとを備える。
【００６７】
第１部分１３２ａは、本体部１３１の両側から折り曲げられて下方に延び、収容部１１３の外側に配置される孔１１４に挿入される。本実施形態において、孔１１４は、収容部１１３と後述する開口部１１７との間に配置される。
【００６８】
第１部分１３２ａには、孔１１４に形成された係止片１１４ａに嵌まる係止部１３２ａ’が形成されてもよい。本実施形態において、係止片１１４ａは、ハウジング１１０の前方に向かって突設され、係止部１３２ａ’は、係止片１１４ａに対応して後端から前方に向かって凹んで形成される。
【００６９】
係止部１３２ａ’を形成する第１部分１３２ａの一辺には、固定突起（図示せず）が備えられてもよい。固定突起は、尖った形状に形成され、係止部１３２ａ’が係止片１１４ａに嵌まると、係止片１１４ａに係止されて係止部１３２ａ’が係止片１１４ａから外れにくくする。
【００７０】
第２部分１３２ｂは、第１部分１３２ａから折り曲げられてハウジング１１０の底面から露出し、回路基板２に実装される。
【００７１】
第２部分１３２ｂは、収容部１１３の内側又は外側に向かって延設されてもよい。本実施形態において、第２部分１３２ｂは、収容部１１３の外側に向かって延設され、第２部分１３２ｂの一部は、孔１１４に隣接する開口部１１７とハウジング１１０の厚さ方向に重なるように配置される。
【００７２】
固定部分１３２、１３３は、第２固定部１３３をさらに含んでもよい。
【００７３】
第２固定部１３３は、本体部１３１の両側に延設された第１固定部１３２間に配置され、本体部１３１の後端から突出してハウジング１１０に挿入される。第２固定部１３３は、少なくとも１つ備えられる。本実施形態において、第２固定部１３３は、複数備えられ、所定間隔離隔して配置される。
【００７４】
ハウジング１１０には、第２固定部１３３が挿入される孔１１５が形成される。本実施形態においては、ハウジング１１０の後壁に複数の孔１１５が所定間隔離隔して形成された場合を示す。孔１１５は、ターミナル装着部１１１の上側に配置される。
【００７５】
このようにメタルシェル１３０がハウジング１１０に装着されて収容部１１３を形成する場合、アクチュエータ１４０が収容部１１３に完全に挿入された状態でアクチュエータ１４０の上部を均一に加圧する構造をスリムに実現することができる。もし、ハウジング１１０を延長してメタルシェル部分を形成する場合は、アクチュエータ１４０の上部をメタルシェル１３０と同程度に均一に加圧する構造を実現するためには、メタルシェル部分を非常に厚くしなければならない。よって、メタルシェル１３０を用いた本構造によれば、高さ制約下で接点信頼性を確保できるスリムな電気コネクタ１００を実現することができる。
【００７６】
アクチュエータ１４０は、ハウジング１１０に回転及び摺動可能に設置され、摺動時に収容部１１３に挿入されるように形成される。アクチュエータ１４０は、非導電性の合成樹脂材質からなる。
【００７７】
図４に示すように、アクチュエータ１４０は、挿入部１４３がメタルシェル１３０上に位置する第１位置（Ｉ）と、挿入部１４３が収容部１１３の前方に位置する第２位置（ＩＩ）間で回転可能に形成される。また、アクチュエータ１４０は、第２位置（ＩＩ）と、挿入部１４３が収容部１１３に挿入される第３位置（ＩＩＩ）間で摺動可能に形成される。
【００７８】
アクチュエータ１４０は、第１位置（Ｉ）では開状態であり、第３位置（ＩＩＩ）では閉状態である。
【００７９】
アクチュエータ１４０は、開状態から閉状態に遷移すると、回転した後に摺動し、閉状態から開状態に遷移すると、摺動した後に回転する。
【００８０】
前記開状態では、ケーブル１が収容部１１３に挿入されてケーブル載置面１１２上に位置し、前記閉状態では、アクチュエータ１４０の一部（挿入部１４３）が収容部１１３に挿入されてケーブル１がケーブル載置面１１２上に密着固定される。このとき、ターミナル１２０の接続部１２２ａはケーブル１の端子部１ａに接続される。
【００８１】
アクチュエータ１４０は、ベース部１４１、遊動ヒンジ部１４２及び挿入部１４３を備える。
【００８２】
ベース部１４１は、ハウジング１１０の長手方向に長く延設される。
【００８３】
遊動ヒンジ部１４２は、ベース部１４１の両側から突設され、ハウジング１１０に回転及び摺動可能に設置される。アクチュエータ１４０の回転及び摺動のために、ハウジング１１０の両側には、スロット部１１６がハウジング１１０の前後方向に長く延設される。
【００８４】
挿入部１４３は、互いに離隔して配置された２つの遊動ヒンジ部１４２間のベース部１４１から突設され、摺動時に収容部１１３に挿入されるか又は収容部１１３から取り出されるように形成される。
【００８５】
図５は、図４に示すアクチュエータ１４０の回転及び摺動過程を示す斜視図であり、図６は、図４に示すアクチュエータ１４０の回転及び摺動過程を示す平面図であり、図７は、図６に示すアクチュエータ１４０の回転及び摺動過程を示す、図６のＡ−Ａ’線断面図であり、図８は、図４に示すアクチュエータ１４０の回転及び摺動過程を示す側面図である。
【００８６】
上記各図の（ａ）に示すように、アクチュエータ１４０が第１位置（Ｉ）に位置する状態で、収容部１１３は、前方に開放された状態となる。すなわち、ケーブル１を収容部１１３内に挿入できる状態となる。
【００８７】
図６の（ａ）に示すように、アクチュエータ１４０が第１位置（Ｉ）に位置する状態で、アクチュエータ１４０は、ハウジング１１０の厚さ方向にメタルシェル１３０、具体的には本体部１３１の前端部を覆わないように配置される。すなわち、第１位置（Ｉ）のアクチュエータ１４０は、メタルシェル１３０の前部側が上方から見えるように、後方に反った状態で配置される。
【００８８】
このとき、アクチュエータ１４０、具体的にはベース部１４１は、メタルシェル１３０に接触する。すなわち、メタルシェル１３０は、アクチュエータ１４０、具体的にはベース部１４１を支持するように形成される。
【００８９】
また、図５の（ａ）及び図８の（ａ）に示すように、アクチュエータ１４０の遊動ヒンジ部１４２は、後方に傾斜して配置される。すなわち、後述する第１及び第２連結部１４２ｂ、１４２ｃがヒンジ軸部１４２ａから後方に傾斜して延びてベース部１４１に連結される。
【００９０】
上記配置によれば、電気コネクタ１００を見下ろして電気コネクタ１００にケーブル１を接続する組立者の視野がアクチュエータ１４０に遮られない。よって、組立者は、電気コネクタ１００の上方から、ケーブル１が収容部１１３の定位置に挿入されたか否かを肉眼で容易に確認することができる。
【００９１】
ケーブル１が収容部１１３内の定位置に挿入されると、ケーブル１はケーブル載置面１１２上に位置し、ケーブル１の端子部１ａはターミナル１２０の接続部１２２ａと重なるように配置される。しかし、端子部１ａが接続部１２２ａ上に載置されるのにすぎないので、通電が安定して行われない。
【００９２】
一方、メタルシェル１３０、具体的には本体部１３１は、ハウジング１１０の厚さ方向に接続部１２２ａを完全に覆うように配置される。なお、図７の（ｃ）に示すように、メタルシェル１３０の本体部１３１、アクチュエータ１４０の挿入部１４３、ケーブル１の端子部１ａ及びターミナル１２０の接続部１２２ａは、電気コネクタ１００の厚さ方向に重なるように配置される。これは、本体部１３１が挿入部１４３の上側を覆って支持して端子部１ａが接続部１２２ａに強固に接続されるようにするための構造である。
【００９３】
第１位置（Ｉ）に位置するアクチュエータ１４０は、回転により第２位置（ＩＩ）に移動する。
【００９４】
上記各図の（ｂ）に示すように、アクチュエータ１４０が第２位置（ＩＩ）に位置する状態で、アクチュエータ１４０は収容部１１３の前方に配置される。このとき、アクチュエータ１４０の挿入部１４３はケーブル１を覆うように配置される。しかし、挿入部１４３は、ケーブル１の端子部１ａ及びターミナル１２０の接続部１２２ａとは電気コネクタ１００の厚さ方向に重ならない。
【００９５】
このとき、挿入部１４３とメタルシェル１３０とは、図示のように、所定間隔離隔して配置され、前記離隔により生じた隙間からケーブル１の一部が露出する。
【００９６】
また、図５の（ｂ）及び図８の（ｂ）に示すように、アクチュエータ１４０の遊動ヒンジ部１４２は、スロット部１１６に並んで配置される。すなわち、後述する第１及び第２連結部１４２ｂ、１４２ｃがヒンジ軸部１４２ａから前方に延びてベース部１４１に連結される。
【００９７】
第２位置（ＩＩ）に位置するアクチュエータ１４０は、摺動により第３位置（ＩＩＩ）に移動する。
【００９８】
上記各図の（ｃ）に示すように、アクチュエータ１４０が第３位置（ＩＩＩ）に位置する状態で、アクチュエータ１４０の挿入部１４３は収容部１１３に挿入される。このとき、挿入部１４３がケーブル１を接続部１２２ａに向かって加圧するように、メタルシェル１３０は挿入部１４３の上側を覆って支持する。
【００９９】
挿入部１４３が収容部１１３内に完全に挿入されると、挿入部１４３はケーブル１をケーブル載置面１１２に密着させ、その過程で、ケーブル１の端子部１ａはケーブル載置面１１２から露出するターミナル１２０の接続部１２２ａに接触する。このとき、メタルシェル１３０が挿入部１４３の上側を覆って支持するので、端子部１ａと接続部１２２ａの接続が安定して維持される。
【０１００】
メタルシェル１３０をハウジング１１０に固定する構造として、前述したメタルシェル１３０の両側に備えられる固定部分１３２のみを含む場合（本実施形態の第１固定部１３２に対応する）、メタルシェル１３０の中間部分で挿入部１４３の上側を覆って支持する力が弱いので、端子部１ａと接続部１２２ａの接続不良が起こり得る。このような現象は電気コネクタ１００が長くなるほどより発生しやすい。
【０１０１】
ここで、前述したメタルシェル１３０の長手方向に所定間隔離隔して配置される固定部分１３３をさらに含むと（本実施形態の第２固定部１３３に対応する）、メタルシェル１３０の中間部分でも挿入部１４３の上側を強固に支持することになり、端子部１ａと接続部１２２ａの接続不良を防止することができる。
【０１０２】
また、図５の（ｃ）及び図８の（ｃ）に示すように、アクチュエータ１４０の遊動ヒンジ部１４２は、スロット部１１６に沿って後方に移動する。すなわち、後述するヒンジ軸部１４２ａがスロット部１１６内で後端部に向かって移動する。
【０１０３】
前述したアクチュエータ１４０の動作において、挿入部１４３は、ケーブル１の端子部１ａとターミナル１２０の接続部１２２ａの安定した接続のための重要な構成である。挿入部１４３の動作のみを別に説明すると、挿入部１４３は、アクチュエータ１４０の回転により、メタルシェル１３０上に位置する第１位置（Ｉ）と収容部１１３の前方に位置する第２位置（ＩＩ）間を移動し、アクチュエータ１４０の摺動により、第２位置（ＩＩ）と収容部１１３に挿入される第３位置（ＩＩＩ）間を移動する。
【０１０４】
一方、挿入部１４３が収容部１１３に完全に挿入されると、アクチュエータ１４０がハウジング１１０にロックされるようにしてもよい。すなわち、アクチュエータ１４０が逆方向に抜け出ないようにしてもよい。
【０１０５】
以下、アクチュエータ１４０の回転及び摺動を実現する構造と、アクチュエータ１４０のロック構造についてより詳細に説明する。
【０１０６】
図９は、図５の（ｂ）に示すＢ部分の拡大図であり、図１０は、図９に示すアクチュエータ１４０の摺動過程を示す、図９のＣ−Ｃ’線断面図である。
【０１０７】
図９及び図１０に示すように、収容部１１３の両側には、遊動ヒンジ部１４２が挿入されて回転及び摺動できるように形成されるスロット部１１６が備えられる。スロット部１１６は、ハウジング１１０の前後方向に長く延設される。
【０１０８】
スロット部１１６は、第１延長部１１６ａ、第２延長部１１６ｂ及び係止突起１１６ｃを含む。
【０１０９】
第１延長部１１６ａ及び第２延長部１１６ｂは、ハウジング１１０の後部から前方に向かって互いに対向するように延び、遊動ヒンジ部１４２が挿入されて回転及び摺動する遊動空間を形成する。
【０１１０】
本実施形態において、第１延長部１１６ａ及び第２延長部１１６ｂは、それぞれ、ハウジング１１０の後部の上面及び下面から前方に延びる。すなわち、第１延長部１１６ａ及び第２延長部１１６ｂは、ハウジング１１０の上下方向に平行に配置される。第１延長部１１６ａ及び第２延長部１１６ｂは、それぞれ、スロット部１１６の上側及び下側を形成する。
【０１１１】
しかし、本考案は、これに限定されるものではない。設計変形例として、第１延長部１１６ａ及び第２延長部１１６ｂは、ハウジング１１０の横方向に平行に配置されてもよい。この場合、第１延長部１１６ａ及び第２延長部１１６ｂは、それぞれ、スロット部１１６の左側及び右側を形成する。
【０１１２】
係止突起１１６ｃは、第１及び第２延長部１１６ａ、１１６ｂの少なくとも一方の前部から第１延長部１１６ａと第２延長部１１６ｂとの間の遊動空間に向かって突設され、前記遊動空間を限定する。ここで、前記遊動空間を限定するとは、後述する遊動ヒンジ部１４２のヒンジ軸部１４２ａの移動が係止突起１１６ｃにより制限されることを意味する。
【０１１３】
本実施形態においては、第１及び第２延長部１１６ａ、１１６ｂのそれぞれから係止突起１１６ｃが突設された場合を示す。
【０１１４】
しかし、本考案は、これに限定されるものではない。設計変形例として、係止突起１１６ｃは、第１及び第２延長部１１６ａ、１１６ｂのいずれか一方からのみ突設されてもよい。
【０１１５】
遊動ヒンジ部１４２は、ヒンジ軸部１４２ａ、第１連結部１４２ｂ及び第２連結部１４２ｃを含む。
【０１１６】
ヒンジ軸部１４２ａは、前記遊動空間内に配置され、前記遊動空間内で回転し、かつ前記遊動空間に沿って摺動できるように形成される。
【０１１７】
第１連結部１４２ｂ及び第２連結部１４２ｃは、ヒンジ軸部１４２ａの両側に平行に配置され、ベース部１４１に連結される。本実施形態において、第１連結部１４２ｂ及び第２連結部１４２ｃは、ハウジング１１０の横方向に平行に配置される。
【０１１８】
一方、アクチュエータ１４０が第１位置（Ｉ）と第２位置（ＩＩ）間で回転できるように、ハウジング１１０には、スロット部１１６に連通する開口部１１７及び切欠部１１８が備えられる。本実施形態においては、収容部１１３とスロット部１１６間に開口部１１７が備えられて第１連結部１４２ｂが回転する空間を形成し、スロット部１１６の外側に切欠部１１８が備えられて第２連結部１４２ｃが回転する空間を形成する。
【０１１９】
アクチュエータ１４０が第１位置（Ｉ）に位置する状態で、後方に傾斜して配置される第２連結部１４２ｃを支持するように、切欠部１１８には傾斜面１１８ａが形成されてもよい。アクチュエータ１４０が第１位置（Ｉ）に位置する状態で、挿入部１４３はメタルシェル１３０に支持され、遊動ヒンジ部１４２は傾斜面１１８ａに支持される。
【０１２０】
一方、開口部１１７は、第１連結部１４２ｂの摺動のために前方に開口し、第１連結部１４２ｂの回転のために上方に開口するように形成される。よって、第１連結部１４２ｂは開口部１１７から上方に露出する。
【０１２１】
図６の（ｂ）に示すように、アクチュエータ１４０が第２位置（ＩＩ）に位置する状態で、第１連結部１４２ｂは、開口部１１７の後端から離隔して配置される。よって、開口部１１７を上方から見ると、第１連結部１４２ｂが開口部１１７に完全に挿入されていないので、開口部１１７内の空間が見える。
【０１２２】
図６の（ｃ）に示すように、アクチュエータ１４０が第３位置（ＩＩＩ）に位置する状態で、第１連結部１４２ｂは、開口部１１７の後端まで完全に挿入される。よって、開口部１１７を上方から見ると、第１連結部１４２ｂが開口部１１７に完全に挿入されているので、開口部１１７内の空間が見えない。
【０１２３】
このような差異を利用して、組立者は、電気コネクタ１００の上方から、開口部１１７における第１連結部１４２ｂの位置に基づいて、遊動ヒンジ部１４２の摺動状態を確認することができる。
【０１２４】
一方、設計変形例として、スロット部１１６の外側に、切欠部１１８ではなく、開口部１１７が備えられてもよい。この場合、組立者は、開口部１１７における第２連結部１４２ｃの位置に基づいて、遊動ヒンジ部１４２の摺動状態を確認することもできる。
【０１２５】
また、設計変形例として、第１延長部１１６ａ及び第２延長部１１６ｂがハウジング１１０の横方向に平行に配置された場合、第１連結部１４２ｂ及び第２連結部１４２ｃは、それぞれ、ヒンジ軸部１４２ａの上部及び下部に平行に配置されてもよい。
【０１２６】
一方、第１及び第２連結部１４２ｂ、１４２ｃの少なくとも一方には、ロック突起１４２ｄが備えられてもよい。ロック突起１４２ｄは、第１連結部１４２ｂと第２連結部１４２ｃとの間の空間に向かって突設され、遊動ヒンジ部１４２の摺動時に係止突起１１６ｃに係止されるように形成される。
【０１２７】
本実施形態においては、ロック突起１４２ｄが第１連結部１４２ｂから突設された場合を示す。
【０１２８】
しかし、本考案は、これに限定されるものではない。設計変形例として、ロック突起１４２ｄは、第２連結部１４２ｃから突設されてもよく、第１連結部１４２ｂ及び第２連結部１４２ｃのそれぞれから突設されてもよい。
【０１２９】
アクチュエータ１４０が第２位置（ＩＩ）に位置する状態で、ロック突起１４２ｄは、係止突起１１６ｃの前方に位置する。
【０１３０】
この状態で、アクチュエータ１４０が外力を受けて第３位置（ＩＩＩ）に向かって摺動すると、ロック突起１４２ｄは、前記外力により係止突起１１６ｃを乗り越える。このとき、第１及び第２延長部１１６ａ、１１６ｂ又は第１及び第２連結部１４２ｂ、１４２ｃは弾性変形する。
【０１３１】
アクチュエータ１４０が第３位置（ＩＩＩ）に位置する状態で、ロック突起１４２ｄは、係止突起１１６ｃの後方、すなわちスロット部１１６内に位置する。
【０１３２】
以下、ケーブル１が収容部１１３に不完全に挿入されても、ケーブル１とターミナル１２０の接続が安定して行われるようにする構造について説明する。
【０１３３】
図１１は、図６の（ｂ）に示すＤ部分の底部においてアクチュエータ１４０の摺動過程を示す概念図であり、図１２は、図１１に示すアクチュエータ１４０の摺動過程を示す、図１１のＥ−Ｅ’線断面図である。
【０１３４】
図１１及び図１２に示すように、挿入部１４３の両側には、ケーブル挿入ガイド１４３ａが備えられる。ケーブル挿入ガイド１４３ａは、挿入部１４３の底部から突設され、アクチュエータ１４０がケーブル１を覆うように配置された状態（第２位置（ＩＩ）と第３位置（ＩＩＩ）間に位置する状態）で、ケーブル１の両側に形成された凹部１ｂに挿入される。
【０１３５】
ここで、ケーブル１の凹部１ｂは、ケーブル１の延長方向に沿って所定の長さで延設され、ケーブル挿入ガイド１４３ａは、ケーブル１の凹部１ｂの長さより短く形成される。
【０１３６】
ケーブル１が収容部１１３に完全に挿入されている場合、アクチュエータ１４０が摺動すると、ケーブル挿入ガイド１４３ａは、ケーブル１の凹部１ｂに対して相対移動する。このとき、ケーブル１の位置は移動せず、ケーブル挿入ガイド１４３ａのみケーブル１の凹部１ｂ内で移動する。
【０１３７】
ケーブル１が収容部１１３に完全に挿入されていない場合、アクチュエータ１４０が第２位置（ＩＩ）から第３位置（ＩＩＩ）に向かって摺動すると、ケーブル挿入ガイド１４３ａは、ケーブル１の凹部１ｂに係止されてケーブル１を収容部１１３に向かってプッシュする。すなわち、アクチュエータ１４０が摺動する際に、ケーブル挿入ガイド１４３ａによりケーブル１が収容部１１３内へ引き込まれるようになる。よって、ケーブル１が収容部１１３の定位置に移動し、ケーブル１とターミナル１２０の接続が安定して行われる。
【０１３８】
アクチュエータ１４０が第３位置（ＩＩＩ）に位置する状態で、ケーブル１は収容部１１３に完全に挿入され、ケーブル挿入ガイド１４３ａは凹部１ｂの端部に接触する。このとき、ケーブル挿入ガイド１４３ａはそれ以上ケーブル１をプッシュしない。
【０１３９】
ケーブル載置面１１２には、ケーブル挿入ガイド１４３ａが挿入されるケーブル挿入凹部１１９が形成される。ケーブル挿入凹部１１９は、ターミナル装着部１１１の外側に配置される。
【０１４０】
一方、前述したように、アクチュエータ１４０が第３位置（ＩＩＩ）に位置する状態で、ロック突起１４２ｄはスロット部１１６内に位置し、ロック突起１４２ｄの前方には係止突起１１６ｃが位置する。よって、所定以上の外力が加わらないと、ロック突起１４２ｄが係止突起１１６ｃに係止され、アクチュエータ１４０が前方に摺動しない。
【０１４１】
このように、アクチュエータ１４０が第３位置（ＩＩＩ）に強固に固定された状態で、組立者のミスなどにより、不意にケーブル１が引っ張られることが発生し得る。この場合、ケーブル１の凹部１ｂがケーブル挿入ガイド１４３ａに係止されることにより、ケーブル１が抜け出なくなる。よって、上記構造によれば、ケーブル１と電気コネクタ１００の接続安定性が保証される。
【符号の説明】
【０１４２】
１  ケーブル
１ａ  端子部
１ｂ  凹部
２  回路基板
１００  電気コネクタ
１１０  ハウジング
１１１  ターミナル装着部
１１２  ケーブル載置面
１１３  収容部
１１４  孔
１１５  孔
１１６  スロット部
１１６ａ  第１延長部
１１６ｂ  第２延長部
１１６ｃ  係止突起
１１７  開口部
１１８  切欠部
１１８ａ  傾斜面
１１９  ケーブル挿入凹部
１２０  ターミナル
１２２ａ  接続部
１３０  メタルシェル
１３１  本体部
１３２  第１固定部
１３２ａ  第１部分
１３２ｂ  第２部分
１３３  第２固定部
１４０  アクチュエータ
１４１  ベース部
１４２  遊動ヒンジ部
１４２ａ  ヒンジ軸部
１４２ｂ  第１連結部
１４２ｃ  第２連結部
１４２ｄ  ロック突起
１４３  挿入部
１４３ａ  ケーブル挿入ガイド
【図１】
0003231916.tif 000003
【図２】
0003231916.tif 000004
【図３】
0003231916.tif 000005
【図４】
0003231916.tif 000006
【図５】
0003231916.tif 000007
【図６】
0003231916.tif 000008
【図７】
0003231916.tif 000009
【図８】
0003231916.tif 000010
【図９】
0003231916.tif 000011
【図１０】
0003231916.tif 000012
【図１１】
0003231916.tif 000013
【図１２】
0003231916.tif 000014
【図１３】
0003231916.tif 000015
【図１４】
0003231916.tif 000016